(57)【要約】【課題】  締付軸に挿入する通し孔の口縁が薄い形状である金属製のコーンであっても、締付軸を括れ部で切除したときに、その残存軸の切り口にコーンが引っかからなく、締付軸の切除とともに容易に除去できるコンクリート型枠用セパレータの連結金具を提供する。【解決手段】  セパレータを掛止する金具本体と、コンクリート型枠に対して金具本体を支持するためにその背面に突出する雄ねじの締付軸と、締付軸を型枠に貫通してその先に雌ねじの締結金具を螺入した使用時に金具本体と型枠との間に介在されるように締付軸に挿入されるコーンとからなり、締付軸の突出基端に使用後に折り取られる箇所としての括れ部を設けたコンクリート型枠用セパレータの連結金具において、コーンについて、金属板のプレス加工により椀状に形成するとともに、締付軸の通し孔の周縁部辺を内側に押し込む内向反椀曲部を形成し、その椀曲形成により使用時に通し孔が括れ部から離れているように構成した。【選択図】    図１
2005146833.tif 000002
【特許請求の範囲】
【請求項１】
セパレータを掛止する金具本体と、コンクリート型枠に対して金具本体を支持するためにその背面に突出する雄ねじの締付軸と、締付軸を型枠に貫通してその先に雌ねじの締結金具を螺入した使用時に金具本体と型枠との間に介在されるように締付軸に挿入されるコーンとからなり、締付軸の突出基端に使用後に折り取られる箇所としての括れ部を設けたコンクリート型枠用セパレータの連結金具において、コーンについて、金属板のプレス加工により椀状に形成するとともに、締付軸の通し孔の周縁部辺を内側に押し込む内向反椀曲部を形成し、その椀曲形成により使用時に通し孔が括れ部から離れているように構成したことを特徴とするコンクリート型枠用セパレータの連結金具。
【請求項２】
コーンに設けられる締付軸の通し孔の口縁を締付軸の外周に向かって内向して屈曲させてあり、締付軸には、雄ねじ近くにコーンの通し孔が通らない停止突起を設け、括れ部を環状凹溝に形成するプレス圧力により形成された環状突起と停止突起との間に通し孔が位置している請求項１記載のコンクリート型枠用セパレータの連結金具。
【請求項３】
金具本体が金属板を屈折することにより左右横方向の角筒形に形成され、その上面から前面に掛けてセパレータをその先端のナットとともに掛ける切欠前部孔を設け、その切欠前部孔のうちナットを落とし込み得る幅広い上面開口の両側から逆八形に傾斜して内向するセパレータの通過を弾性変形で許容する逆止長爪を、その両下端でセパレータを押さえ止め得るように突設したことを特徴とする請求項１又は２記載のコンクリート型枠用セパレータの連結金具。
【発明の詳細な説明】
【技術分野】
【０００１】
この発明は、セパレータを掛け止める連結金具本体に、工事完了後に切除される雄ねじの締付軸が椀状コーンの挿入軸となって突出する形式のコンクリート型枠用セパレータの連結金具に関する。
【背景技術】
【０００２】
コンクリート型枠の組み立てにおいては、一般的に、並列する両型枠に連結金具を介してセパレータを連結することにより両型枠の間隔が保持される。その連結金具は、セパレータを掛け止める金具本体と、金具本体に組み付けられる雄ねじの締付軸とからなるもので、締付軸を型枠に貫通して型枠外側において雌ねじ（袋ナット）の締結金具により型枠が締め付けられる。後に型枠を組み外すときには、締付軸に螺入される締結金具が外されるが、締付軸も不要であるときにそれも切除される。
【０００３】
図７は、従来例の説明のために、型枠Ｆ，Ｆをセパレータ５２で間隔が保持された状態を示したもので、向かって右が締付軸５４を残存させる場合、左が締付軸５５を切除する場合を示している。いずれのセパレータの連結金具Ｐａ，Ｐｂも、金具本体５３，５３に締付軸５４，５５を組み付けたもので、締付軸５４，５５に締結金具５６，５６が螺入して型枠に締め付けられるが、左の連結金具Ｐｂであると、締付軸５５を挿入軸として椀状のコーン５８が装着されたものが使用され、コーン５８が型枠Ｆと金具本体５３との間に介在されている。したがって、コーン５８の中心には締付軸５５に挿入する通し孔５９を有する。
【０００４】
切除されることになる締付軸５５には、金具本体５３から突出する基端に切断箇所として環状凹溝形の括れ部５７が設けられ、括れ部５７の縁にその形成圧力で隆起した環状突起６０が生じおり、コーン５８がその括れ部５７に掛かっている。そこで、コンクリート工事において、型枠Ｆを外してコンクリート構造物と結合している連結金具５３から締付軸５５を切除すると、それが括れ部５７で切断される関係で、コーン５８が括れ部５７から開放されるため、そのコーン５８も同時に外れるか、残っても容易に取り外すことができるはずである。
【０００５】
しかし、締付軸５５の切除作業においては、それを括れ部５７でへし折るような曲げ操作を繰り返して亀裂が生じるまで反復する必要があり、曲げる力の反覆集中により括れ部５７では予期しないような異常な変形が生じるし、コーン５８にも通し孔５９に波及的に変形が生じる。そこで、殊に、プラスチック製のコーンとは違って、口縁が薄い金属製のコーンであると、コンクリート側に残った締付軸（図３の符号３３の部分）に、鋭い通し孔５９が引っ掛かり容易に外れなくなるために作業能率の進展に支障が生じるという問題があった。一方、プラスチック製のコーンであると、このような問題が生じない反面、切り取った金属の締付軸と混ざったままともにリサイクル処理できない不都合があった。
【発明の開示】
【発明が解決しようとする課題】
【０００６】
この発明は、上記のような実情に鑑みて、締付軸に挿入する通し孔の口縁が薄い形状である金属製のコーンであっても、締付軸を括れ部で切除したときに、その残存軸の切り口にコーンが引っかからなく、締付軸の切除とともに容易に除去できるコンクリート型枠用セパレータの連結金具を提供することを目的とした。
【課題を解決するための手段】
【０００７】
この発明は、上記のような実情に鑑みて、セパレータを掛止する金具本体と、コンクリート型枠に対して金具本体を支持するためにその背面に突出する雄ねじの締付軸と、締付軸を型枠に貫通してその先に雌ねじの締結金具を螺入した使用時に金具本体と型枠との間に介在されるように締付軸に挿入されるコーンとからなり、締付軸の突出基端に使用後に折り取られる箇所としての括れ部を設けたコンクリート型枠用セパレータの連結金具において、コーンについて、金属板のプレス加工により椀状に形成するとともに、締付軸の通し孔の周縁部辺を内側に押し込む内向反椀曲部を形成し、その椀曲形成により使用時に通し孔が括れ部から離れているように構成したことを特徴とするコンクリート型枠用セパレータの連結金具を提供するものである。
【０００８】
コンクリート型枠用セパレータの連結金具を上記のように構成したから、コンクリート型枠を組むときの使用の仕方は従来と同様であり、コンクリートが硬化して型枠を撤去してから締付軸を括れ部で折り切るときに折る操作を反復することも同じであるが、その操作時に残った軸の切り口に異常な変形が生じたり、コーンが変形しても、コーンの通し孔が切り口から離れているので、切り口の突起等にコーンが引っかかることはなく、それを容易にコンクリート側から取り外すことができる。また、環状突起が通し孔の口縁に引っかかるようにしてあると（請求項２）、折り取った締付軸と共にコーンを都合良く取り外すことができる。
【０００９】
また、切欠前部孔の上面開口の両側に、逆八形に逆止長爪と突設したときには（請求項３）、その長さにより弾性変形しすいので、窮屈な幅であってもセパレータを打ち込みに抗することはなく、打ち込みが容易である。しかも、弾性変形の復帰によりセパレータを押さえ止めると、それが抜けようとする力でますます押さえ止めが効いてこの逆止め作用で決してセパレータが抜けることはない。
【発明の効果】
【００１０】
以上説明したように、この発明のコンクリート型枠用セパレータの連結金具によれば、通し孔の口縁が薄い形状である金属製のコーンであっても、締付軸を括れ部で切除したときに、その残存軸の切り口にコーンが決して引っかからなく、締付軸の切除とともにコーンをコンクリート側から容易に除去できるため、作業能率を向上させ得ることはもちろん、コーンを締付軸と混ざったままに同一金属としてリサイクル処理しやすい連結金具として提供できるという優れた効果がある。
【発明を実施するための最良の形態】
【００１１】
図１ないし図３は一実施の形態を示したもので、そのコンクリート型枠用セパレータの連結金具Ｐは、金具本体１と、それに突出して取り付けられる締付軸２と、それを軸として取り付けられるコーン３とからなるもので、コンクリート型枠Ｆを組む際の使用においては、型枠Ｆに開けられる取付孔５にその締付軸２を挿入して締結金具７がそれに螺入され、金具本体１にセパレータ９を掛け止めてから締結金具７が締め付けられる。締付軸２とコーン３とは、使用後にコンクリート側から除去した際に同一容器に回収しても、混ざったまま都合よくリサイクル処理できるように、共に鋼鉄で造られている。
【００１２】
金具本体１は、様々な形状となるものであるが、この実施形態では、鋼鉄等の金属板を矩形に折り曲げて横抜け角筒形であって、前面で折り合わせてそこが二重壁となっており、この矩形の角筒形を基本形態となるよう加工が施され、締付軸２を背面に突出させるための切欠後部孔１１が形成され、また、セパレータ９を掛け止める切欠前部孔１３が上面から前面にかけて形成される。
【００１３】
切欠前部孔１３は、セパレータ９の端部とともにナット３５を落とし込む幅広い上面開口１３ａとセパレータ９のみを落とし込む逆トンネル形の狭い前面開口１３ｂとからなり、前面開口１３ｂの幅によってセパレータ９の左右動きが規制され、前面開口１３ｂではその左右から前方へ突出する逆止爪３７，３７の間隔が下へ行くにつれて狭くなって逆止め作用を果たす。
【００１４】
締付軸２は、前端に角の取れた矩形の掛止鍔１５が一体に形成されたもので、掛止鍔１５の近くの頸部に環状の凹溝による括れ部１７を設け、そのプレス加工に伴う加圧力により後ろ縁に環状突起１８が形成されている。また、環状突起１８より離れた雄ねじ２０近くにプレス加工により一対の停止突起１９，１９が形成されており、この停止突起１９，１９によりコーン３の脱出が防止され、こうして金具本体１と締付軸２とコーン３とが一体に組み付けられている（図１，図２）。
【００１５】
締付軸２の取付けについては、切欠後部孔１１を背面から底面にかけて形成し、底面に一対の掛止爪２３，２３が内側に突設されており、掛止鍔１５を下の幅広い孔１１ａから入れて背面壁２５に押し当てた状態で掛止爪２３，２３により押さえ止められる。そして、締付軸２が折られる括れ部１７が背面壁２５より突出している。
【００１６】
コーン３は、鋼鉄板をプレス加工することにより成形したもので、円形の中心に締付軸２の通し孔２７が有り、それを中心に円錐形ないし椀状に形成するとともに、椀の底部が持ち上がるように、通し孔２７の口縁部周辺を内側へ押し込む内向反椀曲部２９を形成してある。したがって、内向反椀曲部２９は、内周の軸長Ｌが広くなっており、その底部開口には引っ掛かりがたい彎曲部３０を有し、軸長方向が奥まるにつれて締付軸２と平行となるが、内部に位置する通し孔２７の口縁３１が孔内側に向かうように締付軸２と直行方向に内向して屈折している。
【００１７】
使用については、従来と同様に（図７の左側参照）、コンクリート型枠Ｆに取り付けられることによりセパレータ９を保持する。両型枠Ｆ，Ｆの間にコンクリートが打設され、それが硬化してから型枠Ｆ，Ｆが外され、締付軸２が折り取られると、括れ部１７で切断されることになるが、この時に括れ部１７やその近傍に異常な変形が生じたとしても、変形部分から通し孔２７が遠く前方に位置し、また、コーン３に変形が生じても、残り締付軸の切り口３３にコーン３が引っかかるということは決してない。また、コーン３が締付軸２に挿入する箇所が括れ部１７の位置で口開きとなる内向反椀曲部２９であるため変形しがたい。
【００１８】
図３は、切り取った締付軸２にコーン３が環状突起１８に引っかかった状態で同時にコンクリート構造物Ｃから除去され、そこにコーン３の抜け穴３４が残った状態を示している。しかし、環状突起１８に引っかからないためにコーン３が抜け穴３４の箇所に残るときもあるが、この場合もコーン３を容易に外すことができる。
【００１９】
なお、金具本体１の切欠前部孔１３には開口両側に逆止爪３７，３７が設けられており、セパレータ９には両端にナット３５，３５を螺着されているので、使用において、型枠Ｆ，Ｆに連結金具Ｐ，Ｐを取り付けてから、その切欠前部孔１３，１３にナット３５，３５を落とし込みながら打ち叩くと、その際にセパレータ９が一旦開いた逆止爪３７，３７に引っかかっていることにより脱出が強力に防止される。
【００２０】
図４ないし図６は、金具本体１について他の実施形態を示したもので、前記の実施形態のものと同様に、左右方向の横へ抜ける角筒形に金属板で矩形に屈折加工して基本形状となし、これに締付軸２を背面に突出させるために掛止鍔１５が掛かる切欠後部孔１１を形成し、また、上面から前面にかけてセパレータ９を掛け止める切欠前部孔１３が開口される。
【００２１】
切欠前部孔１３は、セパレータ９の端部とともにナット３５を落とし込む幅広い上面開口１３ａとセパレータ９のみを落とし込む逆トンネル形の狭い前面開口１３ｂとからなり、前面開口１３ｂの幅によってセパレータ９の左右動きが規制され、前面開口１３ｂではその左右から前方へ突出する逆止爪３７，３７の間隔が下へ行くにつれて狭くなって逆止め作用を果たす。従来、その作用を確実に果たすよう逆止爪３７，３７間の間隔を窮屈にしてあると、セパレータ９の打ち込みが困難になるという問題があった。また、加工寸法精度の僅かの誤差によっても窮屈となり、酷いときには打ち込みに反発することすらあった。
【００２２】
この問題を解決するために、この間隔が緩くても脱出止めが強力に阻止されるよう幅広い上面開口１３ａの両側にも別の逆止長爪３８，３８を突設した。この両逆止長爪３８，３８は、比較的広い上面開口１３ａの左右側縁から逆八形に落ち込むように傾斜して形成されているので、下端の先端間の幅がセパレータ９の脱出を確実に阻止できるようその直径より十分に狭くしてあっても、長さにより弾性変形しやすいことから、逆止長爪３８，３８がセパレータ９の打ち込みを容易に許容するが、一旦逆止長爪３８，３８が抜けたセパレータ９を押さえ止めるとそれが決して抜けることはない。
【００２３】
なお、前端の逆止爪３７，３７はこの逆止長爪３８，３８があるために、必ずしも要しないが、図示の如く、設けるときには、セパレータ９を打ち込みやすく緩く形成しても良いことになる。
【図面の簡単な説明】
【００２４】
【図１】この発明の一実施の形態によるコンクリート型枠用セパレータの連結金具を、セパレータと締結金具と共に示す斜視図である。
【図２】同コンクリート型枠用セパレータの連結金具の側面から見た断面図である。
【図３】コンクリート工事が終わってから締付軸の切除とともにコーンを取り外した状態を示す断面図である。
【図４】他の実施形態を示す図１に対応する斜視図である。
【図５】同コンクリート型枠用セパレータの連結金具における金具本体の使用状態における正面図である。
【図６】図５のＡ−Ａ線矢視の断面図である。
【図７】型枠の組み立て状態で示す従来例の説明図である。
【符号の説明】
【００２５】
Ｃ  コンクリート構造物
Ｆ  コンクリート型枠
Ｐ  コンクリート型枠用セパレータの連結金具
１  金具本体
２  締付軸
３  コーン
７  締結金具
９  セパレータ
１３  切欠前部孔
１３ａ  上面開口
１７  括れ部
１８  環状突起
１９  停止突起
２７  通し孔
２９  内向反椀曲部
３１  口縁
３５  ナット
３８  逆止長爪
【図１】
2005146833.tif 000003
【図２】
2005146833.tif 000004
【図３】
2005146833.tif 000005
【図４】
2005146833.tif 000006
【図５】
2005146833.tif 000007
【図６】
2005146833.tif 000008
【図７】
2005146833.tif 000009